(57)【要約】【目的】本発明は二次元方向でのアレー化を達成する基本ユニットとして機能するとともに、指向特性を良好にして構成を簡易にした２素子及び多素子アレーＳＬアンテナを提供することを目的とする。【構成】基板の一主面に配置されたスロットライン型からなる一対のアンテナ素子及びスロットラインと、前記基板に配置された前記スロットラインを含む給電端を有する給電系とを備え、前記一対のアンテナ素子は前記スロットラインの形成する電界面又は磁界面に沿って平行にして、前記給電端を起点とした磁界面又は電界面に対して前記給電系を含めて鏡面対称に配列されるとともに、前記一対のアンテナ素子と前記給電系は互いに独立して電磁気的に結合し、前記一対のアンテナ素子を同相励振した構成とする。【選択図】図１
2004007034.tif 000002
【特許請求の範囲】
【請求項１】
基板の一主面に配置されたスロットライン型からなる一対のアンテナ素子及びスロットラインと、前記基板に配置された前記スロットラインを含む給電端を有する給電系とを備え、前記一対のアンテナ素子は前記スロットラインの形成する電界面又は磁界面に沿って平行にして、前記給電端を起点とした磁界面又は電界面に対して前記給電系を含めて鏡面対称に配列されるとともに、前記一対のアンテナ素子と前記給電系は互いに独立して電磁気的に結合し、前記一対のアンテナ素子を同相励振したことを特徴とする２素子アレー型スロットアンテナ。
【請求項２】
請求項１において、前記一対のアンテナ素子は電界面に沿って配列され、前記給電系とは互いに独立した２素子アレー型スロットアンテナ。
【請求項３】
請求項２において、前記給電系は、前記一対のアンテナ素子の中間に平行に配置されるとともに、前記一対のアンテナ素子に一端側が電磁結合するとともに他端側を給電端として前記基板の一主面に配置されたスロットラインである２素子アレー型スロットアンテナ。
【請求項４】
請求項２において、前記給電系は、前記一対のアンテナ素子の各中点にて電磁結合する前記基板の他主面に配置されたマイクロストリップラインと、前記マイクロストリップラインの中点にて交差する一端側を電気的開放端として他端側を給電端とする前記基板の一主面に配置されたスロットラインとからなる２素子アレー型スロットアンテナ。
【請求項５】
請求項４において、前記一対のアンテナ素子はループ状である２素子アレー型スロットアンテナ。
【請求項６】
請求項２において、前記給電系は、前記一対のアンテナ素子の対向する各中点に設けられたコプレーナラインからなる給電口と、前記一対のアンテナ素子の各給電口に電磁結合する前記基板の他主面に配置されたマイクロストリップラインと、前記マイクロストリップラインの中点にて交差する一端側を電気的開放端として他端側を給電端とする前記基板の一主面に配置されたスロットラインとからなる２素子アレー型スロットアンテナ。
【請求項７】
請求項６において、前記一対のアンテナ素子はループ状である２素子アレー型スロットアンテナ。
【請求項８】
請求項１において、前記一対のアンテナ素子は磁界面に沿って配列され、前記給電系とは互いに独立した２素子アレー型スロットアンテナ。
【請求項９】
請求項８において、前記給電系は、前記一対のアンテナ素子に平行に配置されて両端側が電磁結合した前記基板の一主面に配置されたスロットラインと、前記スロットラインの中点にて交差する一端側を電気的開放端として他端側を給電端とした前記基板の他主面に配置されたマイクロストリップラインとからなる２素子アレー型スロットアンテナ。
【請求項１０】
請求項８において、前記給電系は、前記一対のアンテナ素子を磁界方向に接続する前記基板の一主面に配置されたスロットラインと、前記スロットラインの中点にて交差する一端側を電気的開放端として他端側を給電端とした前記基板の他主面に配置されたマイクロストリップラインとからなる２素子アレー型スロットアンテナ。
【請求項１１】
基板の一主面に配置されたスロットライン型からなる一対のアンテナ素子及びスロットラインと、前記基板に配置された前記スロットラインを含む給電端を有する給電系とを備え、前記一対のアンテナ素子は前記スロットラインの形成する電界面又は磁界面に沿って平行にして、前記給電端を起点とした磁界面又は電界面に対して前記給電系を含めて鏡面対称に配列されるとともに、前記一対のアンテナ素子と前記給電系とは互いに独立して電磁気的に結合し、前記一対のアンテナ素子を同相励振して２素子アレー型スロットアンテナを形成するとともに第１基本ユニットとし、
前記第１基本ユニットの一対を前記給電系の給電端を接続して共通給電線路として、前記一対のアンテナ素子の配列された方向とは逆方向となる電界面又は磁界面に沿って平行に配列し、前記共通給電線路の中点に一端側が電磁結合して他端側を給電端とした給電線を配置して鏡面対称に配置して前記第１基本ユニットの一対計４個のアンテナ素子を同相励振して４素子アレー型スロットアンテナを形成するとともに第２基本ユニットとし、以下同様に、
前次数の基本ユニットの一対を前次数の給電系の給電端を接続して共通給電線路として、前記前次数の基本ユニットの配列された方向とは逆方向となる電界面又は磁界面に沿って平行に配列し、前記共通給電線路の中点に一端側が電磁結合して他端側を給電端とした給電線を配置して鏡面対称にし、前記前次数の基本ユニットの２倍となるアンテナ素子を同相励振したことを特徴とする少なくとも４素子以上の多素子アレー型スロットアンテナ。
【請求項１２】
請求項１１において、前記共通給電線路がマイクロストリップラインの場合には前記給電線をスロットラインとし、前記共通給電線路がスロットラインの場合には前記給電線をマイクロストリップラインとした多素子アレー型スロットアンテナ。
【請求項１３】
請求項１１において、前記第１基本ユニットの一対のアンテナ素子は電界面上に沿って配列され、給電系によって同相励振されたアレー型スロットアンテナ。
【請求項１４】
請求項１３において、前記給電系は、前記一対のアンテナ素子の中間に平行に配置されるとともに、前記一対のアンテナ素子に一端側が電磁結合するとともに他端側を給電端として前記基板の一主面に配置されたスロットラインである多素子アレー型スロットアンテナ。
【請求項１５】
請求項１３において、前記給電系は、前記一対のアンテナ素子の各中点を横断して電磁結合する前記基板の他主面に配置されたマイクロストリップラインと、前記給電マイクロストリップラインの中点にて交差する一端側を電気的開放端として他端側を給電端として前記基板の一主面に配置されたスロットラインとからなる多素子アレー型スロットアンテナ。
【請求項１６】
請求項１３において、前記給電系は、前記一対のアンテナ素子の対向する各中点に設けられたコプレーナラインからなる給電口と、前記一対のアンテナ素子の各給電口に電磁結合する前記基板の他主面に配置されたマイクロストリップラインと、前記給電マイクロストリップラインの中点にて交差する一端側を電気的開放端として他端側を給電端として前記基板の一主面に配置されたスロットラインとからなる多素子アレー型スロットアンテナ。
【請求項１７】
請求項１５又は１６において、前記一対のアンテナ素子はループ状である多素子アレー型スロットアンテナ。
【請求項１８】
請求項１１において、前記第１基本ユニットの一対のアンテナ素子は磁界面上に沿って配列され、給電系によって同相励振されたアレー型スロットアンテナ。
【請求項１９】
請求項１８において、前記給電系は前記一対のアンテナ素子に平行に配置されて両端側が電磁結合する前記基板の一主面に配置されたスロットラインと、前記スロットラインの中点にて交差する一端側を電気的開放端として他端側を給電端とした前記基板の他主面に配置されたマイクロストリップラインとからなる多素子アレー型スロットアンテナ。
【請求項２０】
請求項１８において、前記給電系は、前記一対のアンテナ素子を磁界方向に接続する前記基板の一主面に配置されたスロットラインと、前記スロットラインの中点にて交差する一端側を電気的開放端として他端側を給電端とした前記基板の他主面に配置されたマイクロストリップラインとからなる多素子アレー型スロットアンテナ。
【請求項２１】
請求項１において、前記各アンテナ素子上に無給電アンテナを装荷したことを特徴とするアレー型スロットアンテナ。
【発明の詳細な説明】
【０００１】
【発明の属する技術分野】
本発明はスロットライン（ＳＬとする）型の平面アンテナ（ＳＬアンテナとする）を産業上の技術分野とし、特に簡易構成にしてかつ複数個が配列されたＳＬアンテナ素子を同相励振してなる２素子及び多素子アレー型ＳＬアンテナ（２素子及び多素子ＳＬアンテナとする）に関する。
【０００２】
【従来の技術】
（発明の背景）平面アンテナは、簡易な加工性と小型軽量性の特徴により、ワイヤレス通信や衛星放送などに広く用いられている。一般に、平面アンテナにはマイクロストリップライン（ＭＳＬとする）型やＳＬ型等があるが、給電系４構造の簡便さや放射特性の理由により、ＭＳＬ型が多用されている。
【０００３】
しかし、ＭＳＬ型の平面アンテナ（ＭＳＬアンテナとする）は、動作する周波数帯域が狭く、アンテナ利得も比較的低く、さらにアンテナ素子と給電系からの直交成分の抑制も困難である。これらのことから、ＭＳＬアンテナと比較して広帯域特性であり、アンテナ素子自身からの直交成分も少ないＳＬアンテナが注目を浴びている。
【０００４】
（従来技術の一例）第２２図乃至第２６図は一従来例を説明するＳＬアンテナの図である。但し、各図の（ａ）は平面図、同（ｂ）は断面図である。
ＳＬアンテナは、いずれも誘電体等の基板１に設けられた、電磁波（電波）の送受信源となるアンテナ素子３と、送受信用の給電系４とからなる。アンテナ素子３は基板１の一主面に形成された導体２中に直線状あるいはループ状の開口線路とした、いずれも所謂ＳＬを設けてなる。これらを便宜的にＳＬアンテナ素子３とする。そして、特にＳＬの長さに依存した電界面の共振周波数をＳＬアンテナ素子３の送受信周波数とする。通常では、ＳＬの長さは送受信周波数の波長λに対してλ／２に設定される。
【０００５】
なお、ＳＬアンテナ素子３は、ＳＬが平衡伝送線路で開口線路の両側の導体２間で交互に同方向に励起される電界に対して直交方向に電界面が生じるので、ＳＬ内に電磁界の完全定在波を生起する。一般には、電界方向（開口線路の幅方向）の断面を電界面（Ｅ面）、磁界方向（開口線路の長さ方向）の断面を磁界面（Ｈ面）と称される。そして、導体２の形成され基板１の一主面にＳＬを形成して同一面内に電磁界面を生起するので、両主面間で電界が励起されるＭＳＬアンテナに比較して電界面及び磁界面内での直交成分が少なくなる。
【０００６】
給電系４は、ＳＬアンテナ素子３が直線状の場合には、例えばＭＳＬ４ａ又はコプレーナライン（ＣＰＷとする）４ｂが選択される。ＭＳＬの場合は、ＳＬアンテナ素子３の長さ方向に直交方向として一端側に近接し、基板１の他主面に配置されてＳＬアンテナ素子３と電磁結合する（第２２図）。ＣＰＷ４ｂの場合は、基板１の一主面にてＳＬアンテナ素子３の中央部から直交方向に延出する（第２３図）。
【０００７】
ＳＬアンテナ素子３がループ状の場合は、例えばＳＬ４ｃが選択される。そして、基板１の一主面にてＳＬアンテナ素子３のコーナーの一端側に接続する（第２４図）。これらにより、ＭＳＬ４ａ、ＣＰＷ４ｂ及びＳＬ４ｃからＳＬアンテナ素子３に、あるいは逆方向に送受信時の電磁波（高周波信号）が伝播される。
【０００８】
そして、これらの場合、ＳＬアンテナ素子３が１個では利得が低いため、例えば複数個のＳＬアンテナ素子３を配列してアレー化し、利得を高めることがなされている。例えば直線状のＳＬアンテナ素子３をＭＳＬ４ａの片側に配列して一次元方向にアレー化する（第２５図）。さらには、ループ状としたＳＬアンテナ素子３の一対をＣＰＷ４ｂの両側に並べて一次元方向にアレー化する（第２６図）。
【０００９】
【発明が解決しようとする課題】
（従来技術の問題点）しかしながら、上記構成の一個又は一対のＳＬアンテナ素子３がアレー化されたＳＬアンテナでは、いずれの場合でも、基板１の一主面（同一面）に形成された給電系４（ＭＳＬ、ＣＰＷ）に沿って一次元方向に並べられるのみで、二次元方向に配列して多素子化することが困難な問題があった。
【００１０】
すなわち、給電系４に沿った一次元方向のみならず、給電系４に対して直交方向にも２個又は２対以上とした多数のＳＬアンテナ素子３を並べて二次元方向でのアレー化をする場合には、給電系４が同一面内で交錯してしまう等の弊害を生じ、その構造に起因して多素子アレー化の達成を困難にする。
【００１１】
この場合、給電系を引き回して二次元方向でのアレー化をしたとしても、例えば各ＳＬアンテナ素子３に対する給電端からの給電長が異なって、各ＳＬアンテナ素子の同相励振を困難にして指向特性が低下する。勿論、位相が合う長さに設定すれば問題はないが、いずれにしても給電系の設計を複雑にする。さらに、アレー化に際して、ＭＳＬのみによる給電系４の場合には必然的に直交成分が発生し、その抑制が困難となる問題もあった。
【００１２】
なお、ラジアルライン等の金属導波管給電系４を用いた二次元方向での多素子アレー化が行われているが、この場合には立体的な構造となって大型化を避けられない。このようなことから、いずれにしても、ＭＳＬ、ＣＰＷ及びＳＬによる給電系４に起因して、現実的には一次元方向でのアレー化が実用的な限界となり、平面回路構造として２次元方向での実用に供し得るアレー化の実現が期待されている。
【００１３】
（発明の目的）本発明は二次元方向でのアレー化を達成する基本ユニットとして機能するとともに、指向特性を良好にして構成を簡易にした２素子及び多素子アレーＳＬアンテナを提供することを目的とする。
【００１４】
【課題を解決するための手段、請求項１及び９に相当】
本発明は、基板の一主面に配置された一対のＳＬアンテナ素子及びＳＬを含む給電端を有する給電系とを備える。一対のＳＬ素子はＳＬの形成する電界面又は磁界面に沿って平行にして、給電端を起点とした磁界面又は電界面に対して給電系を含めて鏡面対称に配列される。一対のＳＬアンテナ素子と給電系とは互いに独立して電磁気的に結合し、さらに給電系が複数の給電線から形成される場合には給電線同士は互いに独立して基板の両主面間で電磁気的に結合し、一対のアンテナ素子を同相励振する。
【００１５】
本発明では、これらにより、給電系を含めて鏡面対称として同相励振される一対のＳＬアンテナ素子からなる２素子アレー型ＳＬアンテナ（２素子ＳＬアレーアンテナとする）を得る。したがって、給電端から見た各ＳＬアンテナ素子に対する給電長は等しくなる。
【００１６】
また、２素子ＳＬアレーアンテナは鏡面対称であるために、これを第１基本ユニットとしてその一対の給電端を接続して、一対のＳＬアンテナ素子の配列方向とは逆方向の電界面又は磁界面に沿って配列する。そして、共通給電線の中点に交差する給電線を配置すれば、これも鏡面対称となる第２基本ユニットとしての４素子ＳＬアレーアンテナを得る。
【００１７】
このようにして、前次数の基本ユニットの一対の給電端を接続して、前次数の配列方向とは逆方向の電界面又は磁界面に沿って配列し、共通給電線の中点に交差する給電線を配置すれば、前次数の倍のＳＬアンテナ素子を配列した多素子アレーアンテナを得られる。
【００１８】
そして、これらの場合においても、給電端を起点とした電界面又は磁界面に対して鏡面対称になるので、各ＳＬアンテナ素子に対する給電端からの給電長は等しくなる。したがって、各アンテナ素子間の位相差を解消するので、指向特性を良好にする。
【００１９】
また、これらの給電系を含むＳＬアンテナ素子を鏡面対称として配列した多素子アレーアンテナは、特に給電系を形成する給電線同士は互いに独立して、基板の両主面間での電磁気的な結合とするので、給電線同士が基板の同一主面上で交錯することなく達成できる。そして、これらにより、立体構造ではなく平面構造としたＳＬアンテナ素子による簡易な多素子アレーアンテナが得られる。
【００２０】
要するに、本発明では、同相で励振する各種の２素子ＳＬアレーアンテナを構成するとともに、給電系として特に基板の一主面にはＳＬを他主面にはＭＳＬからなる給電線路を設けて、ＳＬとＭＳＬ間の電磁結合さらにはその直列（同相）・並列（逆相）の分岐合成機能を積極的に活用した点にある。以下、本発明の複数の実施形態及びこれに基づく各実施例を各請求項に対応して説明する。
【００２１】
【第１実施形態、実施例１Ａ】
（請求項２、３）
第１図は本発明の第１実施形態の実施例１Ａを説明する、特に２素子ＳＬアレーアンテナの図である。但し、第１図（ａ）は平面図、同図（ｂ）はＡ−Ａ断面図である。なお、前従来例と同一部分には同番号を付与してその説明は簡略又は省略する。
２素子ＳＬアレーアンテナは、基板１の一主面に設けた直線状の一対のＳＬアンテナ素子３（ａｂ）と給電系５とからなる。ここでは、給電系５は一端側を電気的短絡とし、他端側を給電端とした給電線路としての第１給電ＳＬ５ａからなる。そして、一対のＳＬアンテナ素子３（ａｂ）は、第１給電ＳＬ５の一端側の両側に即ち電界面に沿って互いに平行に近接して、両者が電磁結合する程度に配列される。
【００２２】
要するに、一対のアンテナ素子３（ａｂ）の中間に第１給電ＳＬ５ａが平行に電磁結合して配置される。但し、第１給電ＳＬ５ａの一端側は、ＳＬアンテナ素子３（ａｂ）の一端側から中央領域にかけて長さ方向で重畳する。そして、給電系５と電磁結合する一対のアンテナ素子３（ａｂ）が、給電端を起点とした磁界面に対して給電系５を含んで鏡面対称に配置される。
【００２３】
このような構成であれば、以下の各実施例でも同様である送信の場合を例にすると、第１給電ＳＬ５ａの給電端からの高周波信号は、ＳＬが平衡伝送線路で交互に同方向に電界を生ずるので、同時に一対のＳＬアンテナ素子３（ａｂ）へ同相で電磁結合して給電（励振）できる。そして、給電端を起点とした磁界面に対し鏡面対称とするので、給電端からの一対のＳＬアンテナ素子３（ａｂ）に対する給電長を同一にして、一対のＳＬアンテナ素子３（ａｂ）間に位相ズレのない同位相で励振できるので、指向性を良好にする。
【００２４】
この例では、２個のＳＬアンテナ素子３（ａｂ）で構成しているので２素子ＳＬアレーアンテナとしたが、互いに近接しているので実効的には１個のアンテナ素子とみなしてよい。なお、一主面側からの放射とする場合は、他主面側に図示しない遮蔽用の金属箱を設ける。この点は、これ以降の実施例でも同様なので再述はしない。
【００２５】
【第１実施形態　実施例１Ｂ】
（請求項１１、１２、１３、１４）
第２図は本発明の第１実施形態の実施例１Ｂを説明する、特に４素子ＳＬアレーアンテナの平面図である。なお、これ以降の実施例においては、前実施例と同一部分の説明は省略又は簡略する。
第１実施形態（実施例１Ｂ）での４素子ＳＬアレーアンテナは、前実施例１Ａでの２素子ＳＬアレーアンテナを第１基本ユニットとして、第１基本ユニットの一対を鏡面対称に配置して構成される。
【００２６】
すなわち、第１基本ユニットの各第１給電ＳＬ５ａの給電端を接続し、ＳＬアンテナ素子３（ａｂ）の配列された電界面とは逆方向の磁界面に沿って、第１基本ユニットの一対を基板１の一主面に平行に配置する。そして、給電端を接続した第１共通給電ＳＬ５ａ１の中点には、一端側が交差して電気的開放端とし、他端側を給電端とした第２給電ＭＳＬ５ｂを基板１の他主面に形成する。これにより、第２給電ＭＳＬ５ｂの給電端を起点とした電界面に対して鏡面対称とする第１実施形態での４素子ＳＬアレーアンテナを構成する。
【００２７】
このような構成であれば、第２給電ＭＳＬ５ｂからの高周波信号は、第１共通給電ＳＬ５ａ１の中点から同振幅として同相で二分岐される。そして、第１共通給電ＳＬ５ａ１の両端側において、それぞれ一対のＳＬアンテナ素子を同相励振する。そして、この場合でも、第２給電ＭＳＬ５ｂの給電端を起点とした電界面に対して鏡面対称とするので、各ＳＬアンテナ素子３への給電端からの給電長を同一として、指向性を良好にする。
【００２８】
【第１実施形態　実施例１Ｃ】
（請求項１１、１２、１３、１４）
第３図は本発明の第１実施形態の実施例１Ｃを説明する、特に８素子ＳＬアレーアンテナの平面図である。
第１実施形態（実施例１Ｃ）での８素子ＳＬアレーアンテナは、前実施例１Ｂでの４素子ＳＬアレーアンテナを第２基本ユニットとして、第２基本ユニットの一対を鏡面対称に配置して構成される。すなわち、第２基本ユニット（４素子アレーＳＬアンテナ）の各第２給電ＳＬ５ｂの給電端を接続し、第２基本ユニットの配列された磁界面とは逆方向の電界面に沿って、第２基本ユニットの一対を基板１の一主面に平行に配置する。
【００２９】
そして、第２基本ユニットの各給電端を接続した第２共通給電ＭＳＬ５ｂ１の中点には、一端側が交差して電気的開放端とし、他端側を給電端とした第３給電ＳＬ５ｃを基板１の一主面に形成する。これにより、第３給電ＳＬ５ｃの給電端を起点とした磁界面に対して鏡面対称とする、第２実施形態での８素子ＳＬアレーアンテナを構成する。
【００３０】
このような構成であれば、第３給電ＳＬ５ｃからの高周波信号は、第２共通給電ＭＳＬ５ａ１の中点から同振幅として逆相で二分岐される。そして、第２共通給電ＳＬ５ｂ１の両端側で交差する第１共通給電ＭＳＬの中点から同相で二分岐され、各第２基本ユニット（４素子ＳＬアレーアンテナ）の４個計８個のＳＬアンテナ素子を同相励振する。
【００３１】
すなわち、第４図の断面図に示したように、第３給電ＳＬ５ｃの給電端から高周波信号を印加すると、第２共通給電ＭＳＬ５ｂ１の交差点では、例えば両側の導体間で左から右方向の電界が生じたとすると、左側の導体から他主面の第２共通給電ＭＳＬ５ｂ１には下向きの電界が、右側の導体からは上向きの電界が生じる。したがって、高周波信号は第２共通給電ＭＳＬ５ｂ１の交差点（中点）から逆相二分岐されて、両端側の各第１共通給電ＳＬ５ａ１へは、両主面間で電界が互いに逆向きとなって互いに反対方向の高周波信号が伝播する。
【００３２】
そして、左側の下向きの電界及び右側の上向きの電界は、各第１共通給電ＳＬ５ａ１との交差点にていずれも左向きの電界を生ずる。したがって、高周波信号は、第２共通給電ＭＳＬ５ｂ１から第１共通給電ＳＬ５ａ１へ同位相で伝播される。これにより、両側に配置された各第２基本ユニットの４個のＳＬアンテナ素子３を前実施例１Ｂと同様にそれぞれ同相励振する。要するに、第２共通給電ＭＳＬ５ｂ１と一対の第１共通給電ＳＬ５ａ１の接続が、第３給電ＳＬ５ｃに対して鏡面対称であることに起因する。
【００３３】
そして、この８素子ＳＬアレーアンテナの場合でも、第３給電ＳＬ５ｃの給電端を起点とした電界面に対して鏡面対称とするので、各ＳＬアンテナ素子３計８個への給電端からの給電長を同一として、指向性を良好にする。
【００３４】
【第１実施形態　実施例１Ｄ】
（請求項１１、１２、１３、１４）
第５図は本発明の第１実施形態の実施例１Ｄを説明する、特に１６素子ＳＬアレーアンテナの平面図である。
第１実施形態（実施例１Ｄ）での１６素子ＳＬアレーアンテナは、前実施例１Ｃでの８素子ＳＬアレーアンテナを第３基本ユニットとして、第３基本ユニットの一対を鏡面対称に配置して構成される。すなわち、第３基本ユニット（８素子ＳＬアンテナ）の各第３給電ＳＬ５ｃの給電端を接続し、第３本ユニットの配列された電界面とは逆方向の磁界に沿って、第３基本ユニットの一対を基板１の一主面に平行に配置する。
【００３５】
そして、第３基本ユニットの各給電端を接続した第３共通給電ＳＬ５ｃ１の中点には、一端側が交差して電気的開放端とし、他端側を給電端とした第４給電ＭＳＬ５ｄを基板１の他主面に形成する。これにより、第４給電ＭＳＬ５ｄの給電端を起点とした磁界面に対して鏡面対称とする、第１実施形態での１６素子ＳＬアレーアンテナを構成する。
【００３６】
このような構成であれば、第４給電ＭＳＬ５ｄからの高周波信号は、第３共通給電ＳＬ５ｃ１の中点から同振幅として同相で二分岐される。そして、第３共通給電ＳＬ５ｃ１の両端側で交差する第２共通給電ＭＳＬ５ｂ１の中点から同相で二分岐され、各第３基本ユニット（８素子ＳＬアレーアンテナ）の８個計１６個のＳＬアンテナ素子を実施例１Ｃと同様に同相励振する。そして、この場合でも、第４給電ＭＳＬ５ｄの給電端を起点とした磁界面に対して鏡面対称とするので、各ＳＬアンテナ素子３計１６への給電端からの給電長を同一として、指向性を良好にする。
【００３７】
以上のように、第１実施形態では、電界面に沿って配列された一対のアンテナ素子３（ａｂ）の中間にこれと電磁結合する第１給電ＳＬ５ａを配置して、給電端を起点とする磁界面に対して鏡面対称な２素子アレーアンテナを形成する。そして、これを第１基本ユニットとしてその一対を磁界面に沿って平行に配列するとともに給電端を接続して第１共通給電ＳＬ５ａ１の中点に第２給電線ＭＳＬ５ｂを配置し、この給電端を起点とする電界面に対して鏡面対称な４素子アレーＳＬアンテナ（第２基本ユニット）を形成する。
【００３８】
さらに、前次数の基本ユニットの一対を前次数の配列方向とは逆となる電界面又は磁界面に沿って平行に配列するとともに、前次数の給電端が接続された共通給電線の中点に電磁結合する給電線を配置する。そして、共通給電線がＭＳＬの場合は給電線はＳＬとし、ＳＬの場合はＭＳＬとする。このようにして、給電端を起点とする電界面又は磁界面に対して鏡面対称なしかも同相励振とした、前次数の２倍となるＳＬアンテナ素子からなる多素子アレーＳＬアンテナを形成する。
【００３９】
このようなことから、第１実施形態では、２の倍数となる実施例以外の例えば３２素子及び６４素子以上のＳＬアンテナ素子を有する多素子アレーＳＬアンテナを得ることができる。そして、これらは給電端を起点とした電界面又は電界面に対して鏡面対称となって、給電端から各ＳＬアンテナ素子までの給電長を等しくするので、位相ズレのない同位相での励振として、指向性を良好に維持する。
【００４０】
そして、２素子アレーＳＬアンテナを第１基本ユニットとして鏡面対称に配置して第２基本ユニットを形成し、さらにこれを繰り返して鏡面対称に配置して多素子アレーＳＬアンテナを形成すればよいので、構成を簡易にできる。
【００４１】
また、ＭＳＬ−ＳＬとＳＬ−ＭＳＬ変換による交互のくり返しは、直列分岐と並列分岐の繰り返しとなるために本質的にこれら伝送線路間のインピーダンス整合回路を不要とする。この点は各実施例でも同様なので再述しない。
【００４２】
【第２実施形態　実施例２Ａ】
（請求項２、４）
第６図は本発明の第２実施形態の実施例２Ａを説明する、特に２素子ＳＬアレーアンテナの図である。但し、第６図（ａ）は平面図、同図（ｂ）はＡ−Ａ断面である。
第２実施形態（実施例２Ａ）の２素子ＳＬアレーアンテナは、一対のＳＬアンテナ素子３（ａｂ）を電界面に沿って基板１の一主面に配列する点は前第１実施形態と同じであり、給電系（方法）が異なる点で基本的に相違する。
【００４３】
すなわち、ここでの給電系６は第１給電ＭＳＬ６ａと第２給電ＳＬ６ｂからなり、一対のＳＬアンテナ素子３（ａｂ）は第２給電ＳＬ６ｂの両側に即ち電界面に沿って平行に配列される。そして、前実施例１では一対のＳＬアンテナ素子３（ａｂ）と第２給電ＳＬ６ｂとは電磁結合する程度に近接するとしたが、ここでは電磁結合しない程度に離間する。
【００４４】
第１給電ＭＳＬ６ａは基板１の他主面に配置され、電界面に沿って配列された一対のＳＬアンテナ素子３（ａｂ）の中点間を横断して交差し、それぞれと電磁結合する。第２給電線ＳＬ６ｂは、第１給電ＭＳＬ６ａの中点に一端側が交差して電気的開放端とし、他端側を給電端とする。そして、第２給電ＳＬ６ｂの給電端を起点とした磁界面に鏡面対称とする。
【００４５】
このような構成であれば、第２給電ＳＬ６ｂの給電端からの高周波信号は、前述の第３図にて説明したと同様に、第１給電ＭＳＬ６ａの中点から逆相分岐して両端側の一対のＳＬアンテナ素子３（ａｂ）に同相で給電する。そして、この場合でも、前実施例Ａと同様に、第２給電ＳＬ６ｂの給電端を起点とした磁界面に対して鏡面対称とするので、一対のＳＬアンテナ素子３（ａｂ）への給電端からの給電長を同一として、指向性を良好にする。
【００４６】
【第２実施形態　実施例２Ｂ、２Ｃ】
（請求項１１、１２、１３、１５）
第７図及び第８図は、第２実施形態の実施例２Ｂ及び２Ｃを説明する、特に４素子及び８素子ＳＬアレーアンテナの平面図である。
実施例２Ｂ及び２Ｃは、いずれも第２実施形態の実施例２Ａの２素子ＳＬアレーアンテナ（第１基本ユニット）を基礎として構成したものである。すなわち、実施例２Ｂの４素子ＳＬアレーアンテナは、実施例２Ａの２素子ＳＬアレーアンテナを第１基本ユニットとして磁界面に沿って配列し、第２給電ＳＬ７ｂの給電端を接続して第２共通給電ＳＬ６ｂ１とする。そして、第２共通給電ＳＬ６ｂ１の中点に交差する第３給電ＭＳＬ６ｃを配置する。
【００４７】
実施例２Ｃの８素子ＳＬアレーアンテナは、実施例２Ｂの４素子ＳＬアレーアンテナを第２基本ユニットとして電界面方向に平行に配列し、第３給電ＭＳＬ７ｃの給電端を接続して第３共通給電ＭＳＬ６ｃ１とする。そして、第３共通給電ＭＳＬ６ｃ１の中点に交差する第４給電ＳＬ７ｄを配置する。
【００４８】
このような構成であれば、実施例２Ｂの場合は、第３給電ＭＳＬ６ｃからの高周波信号は、第２共通給電ＳＬ６ｂ１の中点から同相分岐して、両端側の各第１ＭＳＬの交差点（中点）から逆相分岐して、前述同様に各一対のアンテナ素子３（ａｂ）計４個を同相励振する。
【００４９】
また、実施例２Ｃの場合は、第４給電ＳＬ６ｄからの高周波信号は、第３共通給電ＭＳＬ６ｃ１の中点から逆相分岐して、両端側の各第２共通給電ＳＬの交差点から同相分岐して第２共通給電ＳＬ６ｂ１に伝播される。そして、実施例２Ｂと同様に動作して、両端側の４素子アレーＳＬアンテナを駆動し、各２対のアンテナ素子計８個を同相励振する。
【００５０】
また、第２実施例形態でも、前第１実施形態と同様に、前次数の基本ユニットの給電端を共通接続して前次数の配列方向とは逆となる電界面又は磁界面沿って平行に配列し、共通接続線路の中点に交差する給電線を配置することにより、前次数の２倍となる１６、３２個以上としたアンテナ素子数のアレー型ＳＬアンテナを得られる。
【００５１】
そして、これらの場合でも、ＭＳＬ−ＳＬ変換による同振幅で同相分岐及びＳＬ−ＭＳＬ変換による同振幅で逆相分岐によって、複数個が配列されたアンテナ素子３を同相で励振できる。そして、給電端を起点とした電界面又は磁界面に対して鏡面対称とするので、給電端からの各アンテナ素子３への給電長を同じにして指向特性を良好にするとともに、構成を簡易にする。
【００５２】
【第３実施形態　実施例３Ａ】
（請求項２、６）
第９図は本発明の第３実施形態の実施例３Ａを説明する、特に２素子ＳＬアレーアンテナの図で、同図（ａ）平面図、同図（ｂ）はＡ−Ａ断面図である。
第３実施形態（実施例３Ａ）の２素子ＳＬアレーアンテナは、第２実施形態（実施例２Ａ）とは一対のＳＬアンテナ素子３（ａｂ）界面に沿って配列してその中点を第１給電ＭＳＬにて電磁結合する点は同じであり、一対のＳＬアンテナ素子３（ａｂ）に給電口７を給電系８の一部として有する点で相違する。
【００５３】
すなわち、ここでの一対のアンテナ素子３（ａｂ）は、その各中点に、ＣＰＷからなる互いに内側に突出した給電口７を対向して有する。そして、各給電口７に電磁結合した第１ＭＳＬ８ａを基板１の他主面に配置し、前実施例２Ａと同様にその中点に一端側が交差して電気的開放端とし他端を給電端とした第２給電ＳＬ８ｂを基板１の一主面に配置する。
【００５４】
このような構成であれば、第２給電ＳＬ８ｂからの高周波信号は、第２実施例Ａと同様に第１給電ＭＳＬ８ａの中点から同振幅で逆相分岐する。そして、ここでは、一対のアンテナ素子３（ａｂ）の給電口７に電磁結合して伝播される。そして、給電口７がＣＰＷなので、一対のアンテナ素子３（ａｂ）は同相励振される。
【００５５】
したがって、この場合でも、前各実施例と同様に、第２給電ＳＬ８ｂの給電端を起点とした磁界面に対して鏡面対称とするので、一対のＳＬアンテナ素子３（ａｂ）への給電端からの給電長を同一として、指向性を良好にする。
【００５６】
【第３実施形態　実施例３Ｂ、３Ｃ、３Ｄ】
（請求項１１、１２、１３、１６）
第１０図乃至第１２図は、本発明の第３実施形態の実施例３Ｂ、３Ｃ及び３Ｄを説明する、特に４素子、８素子及び１６素子ＳＬアレーアンテナの平面図である。
すなわち、第３実施形態の実施例３Ｂは、実施例３Ａでの２素子ＳＬアレーアンテナ（第１基本ユニット）の一対を磁界面に沿って配列し、第２給電ＳＬ８ｂの給電端を接続して第２共通給電ＳＬ８ｂ１とする。そして、第２共通給電ＳＬ８ｂ１の中点に交差する第３給電ＭＳＬ８ｃを基板１の他主面に配置し、４素子ＳＬアレーアンテナを構成する。
【００５７】
そして、実施例３Ｃでは、実施例３Ｂの４素子ＳＬアレーアンテナを第２基本ユニットとしてその一対を電界面に沿って配列し、第３給電ＭＳＬ８ｃの給電端を接続して第３共通給電ＭＳＬ８ｃ１とする。そして、第３共通給電ＭＳＬ８ｃ１の中点に交差する第４給電ＳＬ８ｄを基板１の一主面に配置し、８素子ＳＬアレーアンテナを構成する。
【００５８】
さらに、実施例３Ｄでは、実施例３Ｃの８素子ＳＬアレーアンテナを第３基本ユニットとしてその一対を磁界面に沿って配列し、第４給電ＳＬ８ｄの給電端を接続して第４共通給電ＭＳＬ８ｄ１とする。そして、第４共通給電ＳＬ８ｄ１の中点に交差する第５給電ＭＳＬ８ｅを基板１の他主面に配置し、１６素子ＳＬアレーアンテナを構成する。
【００５９】
このように、第３実施形態においても、第１及び第２実施形態と同様に、ＭＳＬ−ＳＬ変換による同振幅で同相分岐及びＳＬ−ＭＳＬ変換による同振幅で逆相分岐によって、４個、８個及び１６個の各アンテナ素子３を同相で励振する。そして、各給電端を起点とした電界面又は磁界面に対して鏡面対称として、給電端からの各アンテナ素子３への給電長を同じにするので、指向特性を良好にするとするとともに構成を簡易にする。
【００６０】
なお、第３実施形態の場合でも、前次数の基本ユニットの給電端を接続して電界面又は電界面方向に沿って配列することにより、前次数の２倍及び２の倍数となる３２個以上のアンテナ素子を有する多素子アレーＳＬアンテナを得られる。
【００６１】
【第４実施形態、実施例４Ａ、４Ｂ】
（請求項２、４、５、１１、１２、１３、１５、１７）
第１３図及び第１４図は本発明の第４実施形態の実施例４Ａ及び４Ｂを説明する、特に２素子及び４素子ＳＬアレーアンテナの図で、各同図（ａ）は平面図、同図（ｂ）はＡ−Ａ断面図である。
第４実施形態での２素子、４素子及び多素子ＳＬアレーアンテナは、前１及び第２実施形態とは一対のＳＬアンテナ素子３（ａｂ）を直線状からループ状とした点で基本的に相違し、給電系は第２実施形態（実施例２）と同様である。
【００６２】
すなわち、第４実施形態でのＳＬアンテナ素子３は例えば円状として形成される。これを便宜的にループアンテナ素子とする。そして、実施例４Ａの２素子アレーＳＬアンテナの場合には、給電系９としての第１給電ＳＬ９ｂの両側に即ち電界面に沿って一対のループアンテナ素子３（ａｂ）が基板の一主面に平行移動した形で配列される。一対のループアンテナ素子３（ａｂ）の対向する各中点となる一端側には第１給電ＭＳＬ９ａが基板１の他主面に配置されて電磁結合する。
【００６３】
そして、実施例４Ｂの４素子アレーアンテナは、前第２実施例と同様に、給電端を接続した共通給電ＳＬ９ｂ１の中点に交差する第３給電ＭＳＬ９ｃを基板１の他主面配置して、第３給電ＭＳＬ９ｃの給電端を起点とした電界面に対して鏡面対称とする。これらの場合での作用効果は第２実施形態と同様であり、８個、１６個以上のループアンテナ素子を有するさらなる多素子アレーＳＬアンテナを構成できる。
【００６４】
【第５実施形態、実施例５Ａ、５Ｂ】
（請求項２、６、７、１１、１２、１３、１６、１７）
第１５図及び第１６図は本発明の第５実施形態の実施例５Ａ及び５Ｂを説明する、特に２素子及び４素子ＳＬアレーアンテナの図で、各同図（ａ）は平面図、同図（ｂ）はＡ−Ａ断面図である。
第５実施形態での２素子、４素子及び多素子ＳＬアレーアンテナは、前第４実施形態とはループアンテナ素子とする点では同じであり、第３実施形態と同様にＣＰＷからなる給電口７を設けた点で相違する。
【００６５】
すなわち、第４実施形態の実施例５Ａでは、円状として基板１の一主面に形成された一対のループアンテナ素子３の各中点に、他主面に形成された給電系１０としての第１給電ＭＳＬ１０ａと電磁結合するＣＰＷからなる給電口７を有し、第２給電ＳＬの両側に電界面に沿って配列される。
【００６６】
そして、実施例５Ｂの４素子アレーＳＬアンテナの場合には、前実施例４Ｂと同様に、給電端を接続した共通給電１０ｂ１の中点に交差する第３給電ＭＳＬ１０ｃを配置して、第３給電ＭＳＬ１０ｃの給電端を起点とした電界面に対して鏡面対称とする。これらの場合での作用効果は第２実施形態と同様であり、８個、１６個以上のループアンテナ素子を有するさらなる多素子アレーＳＬアンテナを構成できる。なお、第４及び５実施形態でのループアンテナ素子３は、円形とは限らず、方形や楕円などの他の形状であってもよく、その基本的動作は変わらない。
【００６７】
【第６実施形態、実施例６Ａ】
（請求項８、９）
第１７図は本発明の第６実施形態の実施例６Ａを説明する、特に一対のＳＬアンテナ素子を配列した２素子ＳＬアレーアンテナの図である。但し、第１図（ａ）は平面図、同図（ｂ）はＡ−Ａ断面図、同図（ｃ）はＢ−Ｂ断面図である。
第６実施形態（実施例６Ａ）の２素子ＳＬアンテナは、第１〜第５実施例の実施例１〜５Ａが電界方向に沿って一対のアンテナ素子３（ａｂ）を配列したのに対し、これを磁界方向に配列した点が基本的に相違する。
【００６８】
すなわち、実施例６Ａの２素子アンテナ３（ａｂ）は、基板１の一主面に設けた直線状の一対のＳＬアンテナ素子３（ａｂ）と給電系１１とからなる。ここでは、一対のＳＬアンテナ素子３（ａｂ）を長さ方向に縦列して、第１給電ＳＬ１１ａに平行に近接して即ち磁界面に沿って配列する。給電系１１はこの第１給電ＳＬ１１ａと第２給電ＭＳＬ１１ｂからなる。
【００６９】
第１給電ＳＬ１１ａは両端短絡とした有限長とし、両端側が一対のＳＬアンテナ素子３（ａｂ）の各一端側から中央領域にかけて等距離として重畳する。第２給電ＭＳＬ１１ｂは、第１給電ＳＬ１１ａの中点で一端側が交差して他端側を給電端とし、基板１の他主面に配置される。但し、第２給電ＭＳＬ１１ｂの一端側は第１給電ＳＬ１１ａの中点からλ／２突出して電気的開放端）とする。
【００７０】
このような構成であれば、第２給電ＭＳＬ１１ｂからの高周波信号は、第１給電ＳＬ１１ａの中点から同振幅として同相で二分岐する。そして、すぐに一対のＳＬアンテナ素子３（ａｂ）へ同相で電磁結合して給電され、各アンテナ素子３（ａｂ）は同相で励振して高周波信号を電磁放射する。
【００７１】
そして、この場合でも、第２給電ＭＳＬ１１ｂの給電端を起点とした磁界面に対して鏡面対称とするので、給電端からの各アンテナ素子３（ａｂ）に対する給電長を同じにして、位相ズレのない同相で励振できる。
【００７２】
なお、第１給電ＳＬ１１ａとＳＬアンテナ素子３（ａｂ）は中央領域にかけて等距離として重畳しているので、一対のＳＬアンテナ素子３（ａｂ）の互いに対向する一端側での電界強度が高くなるので、全体としての電界分布は一対のＳＬアンテナ素子３（ａｂ）の中間を最大とした単峰特性になる。すなわち、各ＳＬアンテナ素子３（ａｂ）の指向性は、この給電法によりそれぞれ磁界面で偏位を生ずるが、電界面に対して鏡面対称になるので合成された指向性は単峰特性になる。
【００７３】
また、第１７図の構造で明かなように、直交成分発生の原因となる給電線路がなく、直交成分の抑制は良好である。また、２つのＳＬアンテナ素子３（ａｂ）をＥ面に関して鏡面対称で励振しているためにＨ面上の指向性偏位の抑制効果もある。これらの特徴は、前各実施例他の実施例でも有する。
【００７４】
【第６実施形態　実施例６Ｂ】
（請求項１１、１２、１８）
第１８図は本発明の第６実施形態の実施例６Ｂを説明する、特に４個のＳＬアンテナ素子を配列した４素子ＳＬアレーアンテナとする平面図である。
第６実施例での４素子ＳＬアレーアンテナは、前実施例６Ａでの２素子ＳＬアレーアンテナを第１基本ユニットとして、ここでも第１基本ユニットの一対を鏡面対称に配置して構成される。すなわち、第１基本ユニットの各第２給電ＭＳＬ１１ｂの給電端を接続し、ＳＬアンテナ素子３（ａｂ）の配列方向とは逆方向の電界面に沿って配置する。
【００７５】
そして、給電端を接続した第２共通給電ＭＳＬ１１ｂ１の中点には、一端側が交差して電気的開放端とし、他端側を給電端とした第３給電ＳＬ１１ｃを基板１の一他主面に形成する。これにより、第３給電ＳＬ１１ｃの給電端を起点とした磁界に対して鏡面対称とする第６実施形態での４素子ＳＬアレーアンテナを構成する。
【００７６】
このような構成であれば、第３給電ＳＬ１１ｃからの高周波信号は、第２共通給電ＭＳＬ１１ｂ１の中点から同振幅として同相で二分岐される。そして、第２共通給電ＳＬ１１ｂ１の両端側において、それぞれ一対のＳＬアンテナ素子を同相励振する。この場合でも、第３給電ＳＬ１１ｃの給電端を起点とした電界面に対して鏡面対称とするので、各ＳＬアンテナ素子３への給電端からの給電長を同一として、指向性を良好にして構成を簡易にする。
【００７７】
そして、第６実施形態の場合でも、前次数の基本ユニットの給電端を接続して電界面又は電界面方向に沿って配列して、共通給電線がＭＳＬの場合はその中点となる基板の一他主面にＳＬを、ＳＬの場合はその中点となる基板の他主面にＭＳＬを配置することにより、前次数の２倍及び２の倍数となる８個以上のアンテナ素子を有する多素子アレーＳＬアンテナを得られる。
【００７８】
【第７実施形態、実施例７Ａ、７Ｂ】
（請求項８、１０、１１、１２、１８、２０）
第１９図及び第２０図は本発明の第７実施形態を説明する図で、第１９図は２実施例７Ａとしての素子ＳＬアレーアンテナ、第２０図は実施例７Ｂとしての４素子ＳＬアレーアンテナの図である。但し、第１９図（ａ）は平面図、同図（ｂ）はＡ−Ａ断面図、同図（ｃ）はＢ−Ｂ断面図、第２０図は平面図である。
第７実施形態は一対のＳＬアンテナ素子３（ａｂ）を磁界面に沿って配列する点は第６実施例と同じであるが、給電系を異にする点で相違する。すなわち、第７実施形態では、給電系１２の一部を形成する第１給電ＳＬ１２ａの両端角部に、一対のＳＬアンテナ素子３（ａｂ）を接続する。
【００７９】
要するに、基板１の一主面にて、一対のＳＬアンテナ素子３（ａｂ）が第１給電ＳＬ１２ａの磁界方向に配列されるとともに、一対のＳＬアンテナ素子３（ａｂ）を磁界方向に結合する。そして、第１給電ＳＬ１２ａと一端側が交差する第２給電ＭＳＬ１２ｂを基板１の他主面に配置する。ここでも、第２給電ＭＳＬ１２ｂの一端側は電気的開放端とする。これにより、２素子アレーＳＬアンテナを形成する。
【００８０】
このような構成であれば、第２給電ＭＳＬ１２ｂからの高周波信号は、第１給電ＳＬ１２ａの中点から同振幅として同相で二分岐する。そして、第１給電ＳＬ１２ａに接続した一対のＳＬアンテナ素子３（ａｂ）へ同相で給電され、各アンテナ素子３（ａｂ）は同相で励振して高周波信号を電磁放射する。
【００８１】
そして、この場合でも、第２給電ＭＳＬ１２ｂの給電端を起点とした磁界面に対して鏡面対称とするので、給電端からの各アンテナ素子３（ａｂ）に対する給電長を同じにして、位相ズレのない同相で励振できる。
【００８２】
そして、第２０図に示したように、この場合でも、第２給電ＭＳＬ１２ｂの給電端を共通接続して、一対の２素子アレーＳＬアンテナを電界方向に配列し、第２共通給電ＭＳＬ１２ｂ１の中点に第３給電ＳＬ１２ｃを配置することによって４素子アレーＳＬアンテナ素子を得ることができ、さらにこれを繰り返すことによって８、１６、３２、６４素子以上の多素子アレーＳＬアンテナを達成できる。
【００８３】
なお、実施例７ＡではＥ（電界）面上の指向性偏位が発生するが、実施例７ＢではＥ面上で鏡面対称の逆相給電を行っているために、Ｅ面指向性偏位も解決できる。なお、この効果は、既に示した各実施例Ｂでの特に４個のアンテナ素子を配列した場合でも同様である。
【００８４】
さらには、例えば第２１図に示したように、実施例６Ｂにおいて、電磁波の放射面側とした例えば一主面側に各アンテナ素子３に対面する導体層１４の形成された保持箱１３を設けることによって、さらに利得を高めることができる。なお、第２１図（ａ）は平面図、同図（ｂ）はＡ−Ａ断面図である。要するに、各アンテナ素子上の導体層１２に誘導電流が流れることにより、空間共振系として作用する無給電アンテナを装荷することによって利得を高められる（請求項２１）。
【００８５】
この場合、導体層１２は内表面に設けたが外表面でもよい。また、保持箱１１に限らず、一主面上に導体層１２を有する基板を積層してもよく一主面側に無給電アンテナとしての導体層を設ければよい。さらには、導体層１２を規定の間隔で積層して配置し、利得を高めてもよい。そして、これらの構成は前述したいずれの実施例にも適用できることは言うまでもない。
【００８６】
【発明の効果】
本発明では、基板の一主面に配置されたスロットライン型からなる一対のアンテナ素子及びスロットラインを含む給電端を有する給電系とを備え、一対のアンテナ素子はスロットラインの形成する電界面又は磁界面に沿って平行にして、給電端を起点とした磁界面又は電界面に対して給電系を含めて鏡面対称に配列し、一対のアンテナ素子と給電系とは互いに独立して電磁気的に結合し、さらに給電系が複数の給電線から形成される場合には給電線同士は互いに独立して基板の両主面間で電磁気的に結合し、一対のアンテナ素子を同相励振する。
【００８７】
したがって、本が発明ではこれを基本ユニットとしてその一対を電界面又は磁界面に沿って鏡面対称に配列してさらに次数の高い基本ユニットを繰り返して形成できるので、特に構成を簡易にして指向特性を良好とした２素子及び多素子アレーＳＬアンテナを提供できる。
【図面の簡単な説明】
【図１】本発明の第１実施形態（実施例１Ａ）の２素子ＳＬアレーアンテナを説明する図である。
【図２】本発明の第１実施形態の（実施例１Ｂ）の４素子ＳＬアレーアンテナを説明する平面図である。
【図３】発明の第１実施形態（実施例１Ｃ）の８素子ＳＬアレーアンテナを説明する平面図である。
【図４】本発明の第１実施形態（実施例１Ｃ）の作用を説明する８素子ＳＬアンテナの断面図である。
【図５】本発明の第１実施形態（実施例１Ｄ）の１６素子ＳＬアレーアンテナを説明する平面図である。
【図６】本発明の第２実施形態（実施例２Ａ）の２素子ＳＬアレーアンテナを説明する図である。
【図７】本発明の第２実施形態の（実施例２Ｂ）の４素子ＳＬアレーアンテナを説明する平面図である。
【図８】本発明の第２実施形態（実施例２Ｃ）の８素子ＳＬアレーアンテナを説明する平面図である。
【図９】本発明の第３実施形態（実施例３Ａ）の２素子ＳＬアレーアンテナを説明する図である。
【図１０】本発明の第３実施形態の（実施例３Ｂ）の４素子ＳＬアレーアンテナを説明する平面図である。
【図１１】発明の第３実施形態（実施例３Ｃ）の８素子ＳＬアレーアンテナを説明する平面図である。
【図１２】本発明の第３実施形態（実施例３Ｄ）の１６素子ＳＬアレーアンテナを説明する平面図である。
【図１３】本発明の第４実施形態（実施例４Ａ）の２素子ＳＬアレーアンテナを説明する図である。
【図１４】本発明の第４実施形態の（実施例４Ｂ）の４素子ＳＬアレーアンテナを説明する平面図である。
【図１５】本発明の第５実施形態（実施例５Ａ）の２素子ＳＬアレーアンテナを説明する図である。
【図１６】本発明の第５実施形態（実施例５Ｂ）の４素子ＳＬアレーアンテナを説明する平面図である。
【図１７】本発明の第６実施形態（実施例６Ａ）の２素子ＳＬアレーアンテナを説明する図である。
【図１８】本発明の第６実施形態（実施例６Ｂ）の４素子ＳＬアレーアンテナを説明する平面図である。
【図１９】本発明の第７実施形態（実施例７Ａ）の２素子ＳＬアレーアンテナを説明する図である。
【図２０】本発明の第７実施形態（実施例７Ｂ）の４素子ＳＬアレーアンテナを説明する平面図である。
【図２１】本発明の他の実施例を説明する４素子ＳＬアレーアンテナの図である。
【図２２】従来例を説明する平面アンテナの図である。
【図２３】従来例を説明する平面アンテナの図である。
【図２４】従来例を説明するアレー型の平面アンテナの平面図である。
【図２５】従来例を説明するアレー型の平面アンテナの平面図である。
【図２６】従来例を説明するアレー型の平面アンテナの平面図である。
【符号の説明】
１　基板、２　導体、３　ＳＬアンテナ素子、４、５、６、８、９、１０、１１、１２　給電系、７　給電口、１３　保持箱、１４　導体層．
【図１】
2004007034.tif 000003
【図２】
2004007034.tif 000004
【図３】
2004007034.tif 000005
【図４】
2004007034.tif 000006
【図５】
2004007034.tif 000007
【図６】
2004007034.tif 000008
【図７】
2004007034.tif 000009
【図８】
2004007034.tif 000010
【図９】
2004007034.tif 000011
【図１０】
2004007034.tif 000012
【図１１】
2004007034.tif 000013
【図１２】
2004007034.tif 000014
【図１３】
2004007034.tif 000015
【図１４】
2004007034.tif 000016
【図１５】
2004007034.tif 000017
【図１６】
2004007034.tif 000018
【図１７】
2004007034.tif 000019
【図１８】
2004007034.tif 000020
【図１９】
2004007034.tif 000021
【図２０】
2004007034.tif 000022
【図２１】
2004007034.tif 000023
【図２２】
2004007034.tif 000024
【図２３】
2004007034.tif 000025
【図２４】
2004007034.tif 000026
【図２５】
2004007034.tif 000027
【図２６】
2004007034.tif 000028